【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
集合住宅の同一階に並んでいる複数の住居にわたって設けられる外廊下の付け替え方法であって、
前記外廊下を全長方向へ沿って複数の設定区間に区分けする際、この各設定区間は、ある設定区間を付け替えている間、それ以外の全ての設定区間に、下の階へ降りることができる元々の階段が連なるように設定し、
前記設定区間において、
元の外廊下を解体し、建物の構造材に固定した腕木を撤去する解体工程と、
前記構造材の前記腕木が取り付けられていた所に支持具を設け、この支持具に新しい腕木を設ける躯体工程と、
新たに設けた前記腕木に柱の中途部を保持しつつ、この柱の下端部を地面に本固定する前に一旦固定する柱仮固定工程と、
新たに設けた前記腕木間を架け渡すよう板材を設ける床材設置工程とを含み、
前記各設定区間ごとに前記各工程を行い、最後の前記設定区間の前記床材設置工程終了後、全ての前記設定区間にわたって、仮固定した前記柱を地面に本固定し、本固定した前記柱に、手摺を設けると共に化粧部材を設ける
ことを特徴とする外廊下の付け替え方法。
【請求項２】
雨水が前記集合住宅の内部に浸入するのを防止する水切板として、第一水切板と第二水切板とを備え、
前記躯体工程では、前記第一水切板を介して前記支持具を設け、
前記床材設置工程前に、前記第一水切板間に第二水切板を設ける水切板設置工程をさらに含み、
少なくとも両端部に前記腕木がある区間を前記各設定区間とし、
前記第二水切板は、前記腕木間に対応する長さである
ことを特徴とする請求項１に記載の外廊下の付け替え方法。
【請求項３】
付け替え対象の前記外廊下には、少なくとも両端部に前記階段を設けている
ことを特徴とする請求項１または請求項２に記載の外廊下の付け替え方法。
【請求項４】
前記設定区間は、前記各住居の間口に対応している
ことを特徴とする請求項１〜３のいずれか１項に記載の外廊下の付け替え方法。
【手続補正２】
【補正対象書類名】明細書
【補正対象項目名】発明の名称
【補正方法】変更
【補正の内容】
【発明の名称】外廊下の付け替え方法
【手続補正３】
【補正対象書類名】明細書
【補正対象項目名】０００１
【補正方法】変更
【補正の内容】
【０００１】
本発明は、集合住宅に設けられた外廊下が一端解体され、新しく外廊下が付け替えられる外廊下の付け替え方法に関するものである
【手続補正４】
【補正対象書類名】明細書
【補正対象項目名】０００６
【補正方法】変更
【補正の内容】
【０００６】
本発明は、前記課題を解決するためになされたもので、請求項１に記載の発明は、集合住宅の同一階に並んでいる複数の住居にわたって設けられる外廊下の付け替え方法であって、前記外廊下を全長方向へ沿って複数の設定区間に区分けする際、この各設定区間は、ある設定区間を付け替えている間、それ以外の全ての設定区間に、下の階へ降りることができる元々の階段が連なるように設定し、前記設定区間において、元の外廊下を解体し、建物の構造材に固定した腕木を撤去する解体工程と、前記構造材の前記腕木が取り付けられていた所に支持具を設け、この支持具に新しい腕木を設ける躯体工程と、新たに設けた前記腕木に柱の中途部を保持しつつ、この柱の下端部を地面に本固定する前に一旦固定する柱仮固定工程と、新たに設けた前記腕木間を架け渡すよう板材を設ける床材設置工程とを含み、前記各設定区間ごとに前記各工程を行い、最後の前記設定区間の前記床材設置工程終了後、全ての前記設定区間にわたって、仮固定した前記柱を地面に本固定し、本固定した前記柱に、手摺を設けると共に化粧部材を設けることを特徴とする外廊下の付け替え方法である。
【手続補正５】
【補正対象書類名】明細書
【補正対象項目名】０００７
【補正方法】変更
【補正の内容】
【０００７】
請求項２に記載の発明は、雨水が前記集合住宅の内部に浸入するのを防止する水切板として、第一水切板と第二水切板とを備え、前記躯体工程では、前記第一水切板を介して前記支持具を設け、前記床材設置工程前に、前記第一水切板間に第二水切板を設ける水切板設置工程をさらに含み、少なくとも両端部に前記腕木がある区間を前記各設定区間とし、前記第二水切板は、前記腕木間に対応する長さであることを特徴とする請求項１に記載の外廊下の付け替え方法である。
【手続補正６】
【補正対象書類名】明細書
【補正対象項目名】０００８
【補正方法】変更
【補正の内容】
【０００８】
請求項３に記載の発明は、付け替え対象の前記外廊下には、少なくとも両端部に前記階段を設けていることを特徴とする請求項１または請求項２に記載の外廊下の付け替え方法である。
【手続補正７】
【補正対象書類名】明細書
【補正対象項目名】０００９
【補正方法】変更
【補正の内容】
【０００９】
さらに、請求項４に記載の発明は、前記設定区間は、前記各住居の間口に対応していることを特徴とする請求項１〜３のいずれか１項に記載の外廊下の付け替え方法である。
【手続補正８】
【補正対象書類名】明細書
【補正対象項目名】００１４
【補正方法】変更
【補正の内容】
【００１４】
【図１】本発明の付け替え方法が適用される二階建ての集合住宅の一例を示す概略構成図であり、二階部分を示している。
【図２】図１の集合住宅の外廊下を示す概略縦断面図である。
【図３】図１の集合住宅の外廊下の付け替え方法を示すフローチャートである。
【図４】図１の集合住宅の外廊下を解体し、新しい腕木の支持具を取り付ける様子を示す概略斜視図である。
【図５】図１の集合住宅の外廊下の解体後、新しい腕木および水切板を取り付ける様子を示す概略斜視図である。
【図６】図１の集合住宅の外廊下の付け替え途中を示す概略縦断面図であり、仮に設置した状態を示している。
【図７】図１の集合住宅の外廊下が付け替えられた状態を示す概略縦断面図である。
【手続補正９】
【補正対象書類名】明細書
【補正対象項目名】００１６
【補正方法】変更
【補正の内容】
【００１６】
図１および図２は、本発明の付け替え方法が適用される集合住宅の一例を示す概略構成図であり、図１は二階部分を示す図、図２は外廊下の概略縦断面図である。本実施例の集合住宅１は、二階建てとされ、各階が三つの住居Ａ，Ｂ，Ｃに区切られている。各住居Ａ〜Ｃは、前側に配置されるダイニングキッチン２と、このダイニングキッチン２の後側に連続して配置される二つの和室３，３とを備えている。各住居Ａ〜Ｃの玄関４は、前方側の左端部に形成されており、この玄関４を介して、室内と外廊下５とが行き来できる。外廊下５には、十箇所に腕木６，６，…が設けられており、この各腕木６に上下方向へ沿って柱７が保持されている。各柱７は、地面に固定されている。なお、外廊下５の両端部にも、柱７が設けられている。本実施例の集合住宅１では、左右両端部に、外廊下５と連続して階段８，８が設けられている。
【手続補正１０】
【補正対象書類名】明細書
【補正対象項目名】００２１
【補正方法】変更
【補正の内容】
【００２１】
図３は、図１の集合住宅の外廊下の付け替え方法を示すフローチャートである。図４から図７は、本発明の付け替え方法を時系列に示す図であり、図４は、元の外廊下を解体して新しい腕木の支持具を取り付ける様子を示す概略斜視図、図５は、新しい腕木および水切板を取り付ける様子を示す概略斜視図、図６は、仮に設置した状態を示す概略縦断面図、図７は、外廊下が付け替えられた状態を示す概略縦断面図である。図３に示されるように、本実施例の付け替え方法は、解体工程Ｓ１、躯体工程Ｓ２、柱仮固定工程Ｓ３、水切板設置工程Ｓ４、床材設置工程Ｓ５、仕上げ前工程Ｓ６および仕上げ工程Ｓ７を含む。